(57)【要約】【課題】親局からの放送素材信号をネット受け局の放送素材信号に切り替える際に、送出信号に親局からの放送素材信号のちら見えを生じさせることなくスムーズに行なうことができる放送素材信号切替装置を提供する。【解決手段】スイッチャー２２、ネットキュー検出器２８及び切替制御器２９を専用バス２４及びＬＡＮ２５で接続し、しかもネットキュー信号の検出結果及びスイッチャー２２に対する切替指示情報等のリアルタイム性が要求される信号を、ＣＭバンク２６に対する駆動指示情報等のリアルタイム性に余裕がある信号とは別に専用バス２４で転送するようにした。【選択図】      図２
2005277464.tif 000002
【特許請求の範囲】
【請求項１】
親局から送られ素材切替のために必要な素材切替データを付加した放送素材信号を受信して所定の放送サービスエリアに再送信する遠隔局に用いられ、該素材切替データに基づいて親局の放送素材信号を選択的に遠隔局の放送素材信号に切り替える放送素材信号切替装置であって、
自局の放送素材信号を発生する信号発生器と、
与えられる切替指示情報に基づいて前記信号発生器の出力及び前記親局からの放送素材信号のいずれか一方を送出信号として選択的に導出する切替スイッチと、
受信信号から前記素材切替データを検出し、この素材切替データに基づいて放送素材信号の切替時点を判定する検出器と、
この検出器による検出結果に基づいて前記信号発生器から放送素材信号を発生させるとともに、前記検出器による検出タイミングから放送素材信号の切替時点までをカウントすることで前記切替スイッチに対し切替指示情報を送出する切替制御器と、
前記切替スイッチ、前記検出器及び前記切替制御器を接続し、リアルタイム性が要求される第１の信号を転送するために使用される第１のネットワークと、
この第１のネットワークとは独立して前記信号発生器、前記切替スイッチ、前記検出器及び前記切替制御器を接続し、前記第１の信号に比してリアルタイム性が要求されない第２の信号を転送するために使用される第２のネットワークとを備え、
前記検出器は前記切替制御器に対し検出結果及び判定結果を第１の信号として前記第１のネットワークを介して送出し、前記切替制御器は前記切替スイッチに対し切替指示情報を第１の信号として前記第１のネットワークを介して送出し、前記信号発生器に対し駆動指示情報を第２の信号として前記第１のネットワークを介して送出することを特徴とする放送素材信号切替装置。
【請求項２】
前記切替制御器は、受信中の放送素材信号の垂直同期信号及び前記信号発生器から発生される放送素材信号の垂直同期信号が入力されるとき、前記切替指示情報に基づき両信号の垂直同期信号が略一致した時点で、放送素材信号の切り替えを行なうことを特徴とする請求項１記載の放送素材信号切替装置。
【発明の詳細な説明】
【技術分野】
【０００１】
この発明は、例えば親局及びネット受け局を中継回線により結ぶネット受信放送システムのネット受け局に用いられ、親局の放送素材信号をネット受け局の放送素材信号に切り替える放送素材信号切替装置に関する。
【背景技術】
【０００２】
地上波の放送システムにあっては、親局及び遠隔局を中継回線により結ぶネット受信放送システムが構築されている。この遠隔局では、中継回線で受信した放送信号を特定の放送サービスエリアに向けて再度送信している。このとき、親局からのＣＭ（コマーシャル）素材データを自局のＣＭ素材データに差替えて送出する場合もある。この場合、親局からの放送信号に含まれるネットキュー信号に基づいてＣＭ素材の切り替えを行なうようにしている（例えば、特許文献１）。
【０００３】
【特許文献１】特開２００２−２８１３４１公報。
【発明の開示】
【発明が解決しようとする課題】
【０００４】
ところで、上記遠隔局では、親局のＣＭ素材を自局のＣＭ素材に切り替える際に、以下の問題を改善することが要望されている。  
デジタル放送では、アナログ放送よりも緻密かつ正確な処理が要求される。この要求に対し、局内の各スタジオ機器の制御を基本的に秒単位（ネットキュー信号では−３パルス）で行なっており、このため、制御時間誤差が一定以上に至った場合に、信号切り替えの繋ぎ目に一瞬不要な画面が見える、いわゆる「ちら見え」の現象が発生することがある。
この発明の目的は、親局からの放送素材信号をネット受け局の放送素材信号に切り替える際に、送出信号に親局からの放送素材のちら見えを生じさせることなくスムーズに行なうことができる放送素材信号切替装置を提供することにある。
【課題を解決するための手段】
【０００５】
この発明は、上記目的を達成するために、以下のように構成される。  
親局から送られ素材切替のために必要な素材切替データを付加した放送素材信号を受信して所定の放送サービスエリアに再送信する遠隔局に用いられ、該素材切替データに基づいて親局の放送素材信号を選択的に遠隔局の放送素材信号に切り替える放送素材信号切替装置であって、自局の放送素材信号を発生する信号発生器と、与えられる切替指示情報に基づいて信号発生器の出力及び親局からの放送素材信号のいずれか一方を送出信号として選択的に導出する切替スイッチと、受信信号から素材切替データを検出し、この素材切替データに基づいて放送素材信号の切替時点を判定する検出器と、この検出器による検出結果に基づいて信号発生器から放送素材信号を発生させるとともに、検出器による検出タイミングから放送素材信号の切替時点までをカウントすることで切替スイッチに対し切替指示情報を送出する切替制御器と、切替スイッチ、検出器及び切替制御器を接続し、リアルタイム性が要求される第１の信号を転送するために使用される第１のネットワークと、この第１のネットワークとは独立して信号発生器、切替スイッチ、検出器及び切替制御器を接続し、第１の信号に比してリアルタイム性が要求されない第２の信号を転送するために使用される第２のネットワークとを備え、検出器は切替制御器に対し検出結果及び判定結果を第１の信号として第１のネットワークを介して送出し、切替制御器は切替スイッチに対し切替指示情報を第１の信号として第１のネットワークを介して送出し、信号発生器に対し駆動指示情報を第２の信号として第１のネットワークを介して送出するようにしたものである。
【０００６】
この構成によれば、切替スイッチ、検出器及び切替制御器が第１のネットワーク及び第２のネットワークで接続されており、しかも素材切替データの検出結果及び切替スイッチに対する切替指示情報等のリアルタイム性が要求される信号は、信号発生器に対する駆動指示情報等のリアルタイム性に余裕がある信号とは別の専用のネットワークで転送される。
従って、素材切替データの検出結果及び切替指示情報の転送と信号発生器に対する駆動指示情報の転送とをそれぞれ独立して並列的に制御することができ、これにより切替スイッチの切替精度を向上でき、放送素材信号の切替時に生じるちら見えを防ぐことができる。
【発明の効果】
【０００７】
以上詳述したようにこの発明によれば、親局からの放送素材信号をネット受け局の放送素材信号に切り替える際に、送出信号に親局からの放送素材のちら見えを生じさせることなくスムーズに行なうことができる放送素材信号切替装置を提供することができる。
【発明を実施するための最良の形態】
【０００８】
以下、この発明の実施形態について図面を参照して詳細に説明する。  
図１は、この発明の放送素材信号切替装置が適用されるネット受信放送の概略構成図である。  
図１において、符号１０は親局、符号２０はネット受け局としての遠隔局を示している。親局１０は、デジタル放送信号をアンテナ１１から自局が属する放送サービスエリアに向けて送出する。また、親局１０には、放送中継ネットワークＮＷを介して遠隔局２０が接続される。遠隔局２０は、親局１０から放送中継ネットワークＮＷを介して伝送されたデジタル放送信号と自局のデジタル放送信号とを切り替えて、このデジタル放送信号をアンテナ２１から自局が属する放送サービスエリアに向けて送出する。
【０００９】
図２は、この発明の一実施形態として上記遠隔局２０の構成を示すブロック図である。  
図２において、符号２２は切替スイッチとしてのスイッチャーである。なお、ここでは説明を簡単にするため、スイッチャー２２の入力チャンネル（系統）数を５チャンネルとし、出力チャンネルを１チャンネルとする。
【００１０】
この実施形態では、スイッチャー２２の第１入力チャンネルに放送中継ネットワークＮＷからの中継デジタル放送信号を入力する入力端子２３を接続し、第２入力チャンネルに専用バス２４を接続し、第３入力チャンネルにＬＡＮ（Local Area Network）２５を接続し、第４入力チャンネルにＣＭバンク２６を接続し、第５入力チャンネルにＶＴＲ２７を接続する。
専用バス２４には、ネットキュー検出器２８及び切替制御器（ＲＴＰ）２９が接続される。また、ＬＡＮ２５には、ＣＭバンク２６、ＶＴＲ（Video Tape Recorder）２７、ネットキュー検出器２８及び切替制御器２９が接続される。なお、ＬＡＮ２５には、ＣＭバンク２６、ＶＴＲ２７、ネットキュー検出器２８及び切替制御器２９の他にも、他のスタジオ機器が接続される。
【００１１】
ネットキュー検出器２８は、中継デジタル放送信号を入力し、この中継デジタル放送信号に含まれるネットキュー信号を検出する。このネットキュー信号には、例えばローカルＣＭへの切替点までのカウントダウン値が含まれている。そして、ネットキュー検出器２８は、検出結果を専用バス２４を介して切替制御器２９に転送するとともに、ネットキュー信号を解析してカウントダウン値を求め、このカウントダウン値を専用バス２４を介して切替制御器２９に転送する。
【００１２】
切替制御器２９は、ネットキュー検出器２８からの検出結果に基づいて、ＣＭバンク２６に対してＬＡＮ２５を介して駆動指示情報を転送して任意のＣＭ素材データを発生させるとともに、ネットキュー検出器２８からのカウントダウン値に従って検出タイミングからＣＭ素材データの切替時点までをカウントし、カウント終了後にスイッチャー２２に対し専用バス２４を介して切替指示情報を送出する。
【００１３】
すると、スイッチャー２２は、切替指示情報に従って中継デジタル放送信号中のＣＭ素材データを自局のＣＭ素材データに切り替えて送出デジタル放送信号として送出する。このとき、中継デジタル放送信号の垂直同期信号と自局のＣＭ素材データの垂直同期信号とが略一致した時点で、ＣＭ素材データの切り替えを行う。
【００１４】
上記構成において、以下にその処理動作を説明する。  
すなわち、遠隔局２０では、スイッチャー２２によって、親局１０からの中継ＣＭ素材データと自局のＣＭ素材データとを切り替える場合に、中継ＣＭ素材データと自局ＣＭ素材データとの間に時間差があると、「ちら見え」という放送予定に無いＣＭの一部が見えてしまうことになる。
【００１５】
この時間差については、スイッチャー２２とネットキュー検出器２８と切替制御器２９との間がＬＡＮ２５のみで接続されているため、ＬＡＮ２５の通信トラフィックによって伝送遅延が発生することが要因となっている。この要因を解決するために、切替制御器２９における処理時間を早めてしまうと、検出タイミングから切替時点までのカウントダウン値の正誤を十分に確認することができない。
【００１６】
そこで、本実施形態では、スイッチャー２２とネットキュー検出器２８と切替制御器２９との間を専用バス２４とＬＡＮ２５で接続するようにし、ネットキュー検出器２８における検出結果及びカウントダウン値を専用バス２４を介して切替制御器２９へ転送し、また切替制御器２９で決定された切替指示情報を専用バス２４を介してスイッチャー２２に転送するようにしている。このようにすることで、スイッチャー２２では、ＬＡＮ２５による通信トラフィックの影響を受けることなく、図３に示すように、中継ＣＭ素材データと自局ＣＭ素材データとの切り替えを垂直同期信号単位で行うことが可能となる。
【００１７】
以上述べたようにこの実施形態では、スイッチャー２２、ネットキュー検出器２８及び切替制御器２９を専用バス２４及びＬＡＮ２５で接続し、しかもネットキュー信号の検出結果及びスイッチャー２２に対する切替指示情報等のリアルタイム性が要求される信号を、ＣＭバンク２６に対する駆動指示情報等のリアルタイム性に余裕がある信号とは別に専用バス２４で転送するようにしている。
【００１８】
従って、ネットキュー信号の検出結果及び切替指示情報の転送とＣＭバンク２６に対する駆動指示情報の転送とをそれぞれ独立して並列的に制御することができ、これによりスイッチャー２２の切替精度を向上でき、ＣＭ素材データの切替時に生じるちら見えを防ぐことができる。
【００１９】
なお、上記実施形態では、中継ＣＭ素材データをＣＭバンク２６から発生される自局ＣＭ素材データに切り替える例について説明したが、ＶＴＲ２７から再生される自局ＣＭ素材データに切り替えるようにしてもよい。この場合、テープ、光ディスク、ＨＤＤ（ハードディスクドライブ）といった記録媒体に記録されているＣＭ素材データが再生されることになる。
【００２０】
また、上記実施形態では、ＣＭの切り替えを例に説明したが、ＣＭ以外にも中継番組と自局番組との切り替えにも適用できることはもちろんのことである。
その他、システム構成、遠隔局の構成、取り扱うデジタル放送信号の種類、切替手順等についても、この発明の要旨を逸脱しない範囲で種々変形して実施できる。
【図面の簡単な説明】
【００２１】
【図１】この発明の放送素材信号切替装置が適用されるネット受信放送の概略構成図。
【図２】この発明の一実施形態としての上記遠隔局の構成を示すブロック図。
【図３】同実施形態におけるＣＭ素材の切替タイミングを説明するために示す図。
【符号の説明】
【００２２】
１０…親局、１１，２１…アンテナ、２０…遠隔局、２２…スイッチャー、２３…入力端子、２４…専用バス、２５…ＬＡＮ（Local Area Network）、２６…ＣＭバンク、２７…ＶＴＲ（Video Tape Recorder）、２８…ネットキュー検出器、２９…切替制御器、ＮＷ…放送中継ネットワーク。
【図１】
2005277464.tif 000003
【図２】
2005277464.tif 000004
【図３】
2005277464.tif 000005